(57)【要約】【課題】洗濯物に水を効率良く当てることができる洗濯機を提供する。【解決手段】洗濯機は、外箱と、外箱内に配置された水槽と、水槽内に回転可能に配置され、洗濯物を収容する回転槽と、回転槽内に水を供給するための給水ノズル(６)とを備える。給水ノズル(６)は、水が内部を流れるノズル本体(６０)と、ノズル本体(６０)内に配置されて水が経由し、旋回流を発生させる旋回子(９０)と、ノズル本体(６０)の下流側の端部に取り付けられたキャップ(１００)とを有する。キャップ(１００)のノズル本体(６０)側とは反対側の端部には、ノズル本体(６０)側からの水を噴射する噴射口(１０１)と、この噴射口(１０１)から噴射される水の噴射角を広げるための広範囲噴射構造(１０２Ａ,１０２Ｂ)とが設けられている。【選択図】図４
2017018249.tif 000002
【特許請求の範囲】
【請求項１】
外箱と、
上記外箱内に配置された水槽と、
上記水槽内に回転可能に配置され、洗濯物を収容する回転槽と、
上記回転槽内に水を供給するための給水ノズルと
を備え、
上記給水ノズルは、
水が内部を流れるノズル本体と、
上記ノズル本体内に配置されて上記水が経由し、旋回流を発生させる旋回子と、
上記ノズル本体の下流側の端部に取り付けられたキャップと
を有し、
上記キャップの上記ノズル本体側とは反対側の端部には、上記ノズル本体側からの水を噴射する噴射口と、この噴射口から噴射される水の噴射角を広げるための広範囲噴射構造とが設けられていることを特徴とする洗濯機。
【請求項２】
請求項１に記載の洗濯機において、
上記外箱に取り付けられたドアを備え、
上記外箱は、上記ドアで開閉される外箱開口部を有し、
上記水槽は、上記外箱開口部に対向する水槽開口部を有し、
上記回転槽は、上記水槽開口部に対向する回転槽開口部を有し、
上記給水ノズルは、上記回転槽開口部を介して上記回転槽内に向けて水を噴射し、
上記広範囲噴射構造は、上記回転槽の回転軸に垂直な水平軸方向から見たときの水の噴射角よりも、上記回転槽の回転軸方向から見たときの水の噴射角が広くなるように、上記噴射口からの水を案内する切り欠きであることを特徴とする洗濯機。
【請求項３】
請求項２に記載の洗濯機において、
上記切り欠きは上記噴射口を径方向から挟むように２つ設けられていることを特徴とする洗濯機。
【請求項４】
請求項２または３に記載の洗濯機において、
上記切り欠きは、上記ノズル本体側からの水を螺旋状に流すように形成された曲面を有することを特徴とする洗濯機。
【請求項５】
請求項２から４までのいずれか一項に記載の洗濯機において、
上記切り欠きを下流側から見たときの形状が扇形状であることを特徴とする洗濯機。
【発明の詳細な説明】
【技術分野】
【０００１】
この発明は洗濯機に関する。
【背景技術】
【０００２】
従来、洗濯機としては、特表２０１３−５０９２８１号公報(特許文献１)に開示されているように、有底円筒形状のドラム内に水を噴射する噴射ノズルを備えるものがある。この噴射ノズルから噴射された水は、ドラムの内周面の一部にかかるようになっている。
【先行技術文献】
【特許文献】
【０００３】
【特許文献１】特表２０１３−５０９２８１号公報
【発明の概要】
【発明が解決しようとする課題】
【０００４】
しかしながら、上記従来の洗濯機では、ドラムの内周面上において洗濯物が広範囲にわたって存在する場合、噴射ノズルの水の噴射角が十分に広くないため、洗濯物の一部が水の噴射領域外に出てしまう。
【０００５】
したがって、上記従来の洗濯機には、洗濯物に水を効率良く洗濯水を当てることができないという問題がある。
【０００６】
そこで、この発明の課題は、洗濯物に水を効率良く当てることができる洗濯機を提供することにある。
【課題を解決するための手段】
【０００７】
上記課題を解決するため、この発明の洗濯機は、
外箱と、
上記外箱内に配置された水槽と、
上記水槽内に回転可能に配置され、洗濯物を収容する回転槽と、
上記回転槽内に水を供給するための給水ノズルと
を備え、
上記給水ノズルは、
水が流れる流路を内部に有するノズル本体と、
上記ノズル本体内に配置されて上記水が経由し、旋回流を発生させる旋回子と、
上記ノズル本体の下流側の端部に取り付けられたキャップと
を有し、
上記キャップの上記ノズル本体側とは反対側の端部には、上記ノズル本体側からの水を噴射する噴射口と、この噴射口から噴射される水の噴射角を広げるための広範囲噴射構造とが設けられていることを特徴としている。
【０００８】
一実施形態の洗濯機では、
上記外箱に取り付けられたドアを備え、
上記外箱は、上記ドアで開閉される外箱開口部を有し、
上記水槽は、上記外箱開口部に対向する水槽開口部を有し、
上記回転槽は、上記水槽開口部に対向する回転槽開口部を有し、
上記給水ノズルは、上記回転槽開口部を介して上記回転槽内に向けて水を噴射し、
上記広範囲噴射構造は、上記回転槽の回転軸に垂直な水平軸方向から見たときの水の噴射角よりも、上記回転槽の回転軸方向から見たときの水の噴射角が広くなるように、上記噴射口からの水を案内する切り欠きである。
【０００９】
ここで、上記水の噴射角とは、給水ノズルから噴射された水が広がる角度を意味する。
【００１０】
一実施形態の洗濯機では、
上記切り欠きは上記噴射口を径方向から挟むように２つ設けられている。
【００１１】
一実施形態の洗濯機では、
上記切り欠きは、上記ノズル本体側からの水を螺旋状に流すように形成された曲面を有する。
【００１２】
一実施形態の洗濯機では、
上記切り欠きを下流側から見たときの形状が扇形状である。
【００１３】
一実施形態の洗濯機では、
上記切り欠きは、上記ノズル本体側からの水を径方向外側へ流すように形成されたＲ面を有する。
【００１４】
一実施形態の洗濯機では、
上記切り欠きを下流側から見たときの形状が略矩形状である。
【００１５】
一実施形態の洗濯機では、
上記広範囲噴射構造は、上記噴射口の周縁部の全周にわたって設けられたＲ面である。
【発明の効果】
【００１６】
この発明の洗濯機によれば、給水ノズルのキャップの広範囲噴射構造により、水の噴射角を広げることができるので、洗濯物に水を効率良く水を当てることができる。
【図面の簡単な説明】
【００１７】
【図１】この発明の第１実施形態のドラム式洗濯機の外観斜視図である。
【図２】上記ドラム式洗濯機の構成を説明するための模式断面図である。
【図３】上記ドラム式洗濯機の給水ノズルの外観斜視図である。
【図４】上記給水ノズルの分解斜視図である。
【図５】上記給水ノズルのキャップの外観斜視図である。
【図６】上記キャップの下流側正面図である。
【図７】図６のVII−VII線矢視の断面図である。
【図８】図６のVIII−VIII線矢視の断面図である。
【図９】上記キャップの噴射口近傍の水流を説明するための図である。
【図１０】上記給水ノズルによる水道水の噴射角を説明するための図である。
【図１１】上記給水ノズルによる水道水の噴射角を説明するための図である。
【図１２】上記給水ノズルによる水道水の噴射角を説明するための図である。
【図１３】比較例の給水ノズルのキャップの外観斜視図である。
【図１４】上記キャップの下流側正面図である。
【図１５】図１４のXV−XV線矢視の断面図である。
【図１６】図１４のXVI−XVI線矢視の断面図である。
【図１７】上記給水ノズルによる水道水の噴射角を説明するための図である。
【図１８】上記給水ノズルによる水道水の噴射角を説明するための図である。
【図１９】上記給水ノズルによる水道水の噴射角を説明するための図である。
【図２０】この発明の第２実施形態の給水ノズルのキャップの外観斜視図である。
【図２１】上記キャップの下流側正面図である。
【図２２】図２１のXXII−XXII線矢視の断面図である。
【図２３】図２１のXXIII−XXIII線矢視の断面図である。
【図２４】この発明の第３実施形態の給水ノズルのキャップの外観斜視図である。
【図２５】上記キャップの下流側正面図である。
【図２６】図２５のXXVI−XXVI線矢視の断面図である。
【図２７】図２５のXXVII−XXVII線矢視の断面図である。
【図２８】上記給水ノズルによる水道水の噴射角を説明するための図である。
【図２９】上記給水ノズルによる水道水の噴射角を説明するための図である。
【図３０】上記給水ノズルによる水道水の噴射角を説明するための図である。
【発明を実施するための形態】
【００１８】
以下、この発明の洗濯機を図示の実施の形態により詳細に説明する。
【００１９】
〔第１実施形態〕
図１は、この発明の第１実施形態のドラム式洗濯機の外観を示す斜視図である。
【００２０】
上記ドラム式洗濯機は、外箱開口部１１を前面部に有する外箱１を備える。この外箱１の前面部には、外箱開口部１１を開閉するドア２がヒンジで左右方向に回動可能に取り付けられている。また、外箱１の前面部の上部には操作表示部１２が設けられている。ユーザは、操作表示部１２を操作することにより、所望の洗濯コースを選択する。また、操作表示部１２は例えば洗濯コースの残り時間などを表示する。
【００２１】
図２は上記ドラム式洗濯機の構成を説明するための模式断面図である。
【００２２】
上記ドラム式洗濯機は、外箱１内に配置された有底筒形状の水槽３と、この水槽３内に回転可能に配置された有底円筒形状のドラム４と、水槽３の後部に取り付けられ、例えばインバータモータからなるモータ５と、ドラム４内に水を供給するための給水ノズル６とを備えている。なお、ドラム４は回転槽の一例である。
【００２３】
上記外箱１内には給水管１３が設けられている。この給水管１３の一端部は、給水口１４を有し、図示しないホースを介して水道蛇口(水栓)に接続される。一方、給水管１３の他端部は２股に分かれている。この２股の一方は、第１給水弁１５および第１給水ホース１７を介して給水ノズル６に接続されている。これにより、給水ノズル６はドラム４のドラム開口部４１を介してドラム４内に向けて水道水を噴射することができるようになっている。一方、上記２股の他方は、第２給水弁１６および第２給水ホース１８を介して、図示しない洗剤ケースに接続されている。この洗剤ケースに流入した水道水は、洗剤ケース内の洗剤または柔軟剤を含んだ後、図示しないホースを介して、水槽３とドラム４の間に供給されるようになっている。なお、第１,第２給水ホース１７,１８としては、例えば、比較的柔らかいゴムまたは塩化ビニールからなるホースが用いられる。また、図１では給水口１４の図示を省略している。なお、上記水道水は水の一例である。
【００２４】
上記ドア２は、ガラス窓２１と、このガラス窓２１の周縁部に取り付けられた樹脂製の枠体２２とを有する。この枠体２２には、ユーザが掴む把手が設けられている。
【００２５】
上記水槽３は、後部が前部より下がるように傾いている。また、水槽３は、外箱開口部１１に対向する水槽開口部３１を有する。この水槽開口部３１には、給水ノズル６と、環状のゴム製のパッキン(図示せず)とが取り付けられている。ドア２が外箱開口部１１を閉鎖したとき、ドア２のガラス窓２１の前部が上記パッキンの内周縁部に密着する。これにより、水槽３内の洗濯水が水槽３外に漏れ出ないようになっている。また、ドア２が外箱開口部１１を閉鎖すると、ドア２のガラス窓２１の後部がドラム４内に入って給水ノズル６の水道水の噴射領域と重なる。なお、上記洗濯水とは、洗剤もしくは柔軟剤などを含む水、または、洗剤もしくは柔軟剤などを含まない水である。
【００２６】
上記ドラム４は、水槽３と同様に、後部が前部より下がるように傾いている。また、ドラム４の前面部には、水槽開口部３１に対向するドラム開口部４１が設けられている。また、ドラム４の周壁には複数の貫通穴４２(図２では３個のみ図示する)が全体に渡って設けられている。また、ドラム４は洗濯物４３を収容する。なお、ドラム開口部４１は回転槽開口部の一例である。
【００２７】
上記貫通穴４２は、水槽３とドラム４との間の空間と、ドラム４内の空間との間で洗濯水や空気を流通させる。例えば、ドラム４内の洗濯物４３を脱水するためにドラム４を回転させると、ドラム４内の洗濯水が貫通穴４２を通ってドラム４外に出る。
【００２８】
上記モータ５は、ロータ(図示せず)などを含むモータ本体５０と、上記ロータに連結されてモータ本体５０から突出する回転軸５１とを備える。この回転軸５１は、水平面に対して傾斜し、先端部がドラム４の後面部(底部)の中央に固定されている。
【００２９】
なお、図２の一点鎖線はドラム４の回転軸である。
【００３０】
図３は、給水ノズル６の外観を示す斜視図である。また、図４は、給水ノズル６を分解した状態を示す斜視図である。
【００３１】
上記給水ノズル６は、図３,図４に示すように、ノズル本体６０、キャップ１００および旋回子９０を備える。
【００３２】
上記ノズル本体６０は、給水口１４からの水道水が内部を流れる。より詳しくは、ノズル本体６０は、第１ノズル部７０と、この第１ノズル部７０に組み付けられた第２ノズル部８０とで構成されるものであって、給水口１４からの水道水が流れる水流路を内部に有する。この第１ノズル部７０に第２ノズル部８０を組み付けるときは、第１ノズル部７０の下流側の端部の開口に第２ノズル部８０の上流側の端部を嵌入する。これにより、第１ノズル部７０内の水流路が第２ノズル部８０内の水流路に連通する。このとき、第２ノズル部８０の板形状の取付部８１上に第１ノズル部７０の板形状の取付部７１を重ね、段付きリブ７２の比較的低い部分にフック部８２を解除可能に係止させる。
【００３３】
上記第２ノズル部８０の下流側の端部の外周面には、第１環状リブ８３と、この第１環状リブ８３より下流側に位置する第２環状リブ８４とが設けられている。また、上記外周面には、ノズル本体６０に対してキャップ１００を位置決めするための突起部８６が設けられている。
【００３４】
上記キャップ１００は、ノズル本体６０の下流側の端部に取り付けられ、弾性材(例えばゴム)から成っている。このノズル本体６０の下流側の端部にキャップ１００を取り付けると、キャップ１００の上流側の端部が第１環状リブ８３に当接し、第２環状リブ８４がキャップ１００の内周面の環状溝１１２(図７,図８に示す)に嵌合する。
【００３５】
上記旋回子９０は、ノズル本体６０の内部を流れる水道水が経由するように、ノズル本体６０内に配置される。すなわち、旋回子９０は、第２ノズル部８０の下流側の端部内に回転可能に収容される。この旋回子９０は、水道水の流れを変更する２つの略半円板形状の部分９１Ａ,９１Ｂを有する。この部分９１Ａ,９１Ｂは、側方から見た形状がＸ字形状を呈するように形成されている。このような旋回子９０をノズル本体６０側からの水道水が経由することにより、１００μｍ〜５００μｍの水粒子の旋回流が生成される。
【００３６】
なお、図３,図４において、７３,７４,８５は、水槽開口部３１に給水ノズル６を取り付けるためのネジが挿通されるネジ孔である。
【００３７】
図５は、キャップ１００の外観を示す斜視図である。また、図６は、キャップ１００の下流側の端面を示す図(キャップ１００を下流側正面から見た図)である。
【００３８】
上記キャップ１００のノズル本体６０側とは反対側の端部(下流側の端部)には、図５,図６に示すように、ノズル本体６０側からの水を噴射する噴射口１０１と、この噴射口１０１から噴射される水道水の噴射角を広げるための２つの切り欠き１０２Ａ,１０２Ｂとが設けられている。なお、切り欠き１０２Ａ,１０２Ｂは広範囲噴射構造の一例である。
【００３９】
上記噴射口１０１は、下流側から見たときの形状が円形状となるように形成されている。ノズル本体６０側から噴射口１０１に供給される水道水の一部は、切り欠き１０２Ａ,１０２Ｂ上を流れて、ドラム４内に噴射される。また、ノズル本体６０側から噴射口１０１に供給される水道水の残りは、切り欠き１０２Ａ,１０２Ｂ上を流れずに、ドラム４内に噴射される。
【００４０】
上記切り欠き１０２Ａ,１０２Ｂは、ドラム４の回転軸に垂直な水平軸方向から見たときの水道水の噴射角θ２(図１２に示す)よりも、ドラム４の回転軸方向から見たときの水道水の噴射角θ１(図１０に示す)が広くなるように、噴射口１０１からの水道水を案内する。この切り欠き１０２Ａ,１０２Ｂは、噴射口１０１を径方向から挟むように設けられている。また、噴射口１０１および切り欠き１０２Ａ,１０２Ｂを下流側から見たとき、噴射口１０１および切り欠き１０２Ａ,１０２Ｂが呈する形状は、２枚羽のプロペラのような形状であり、噴射口１０１の中央を中心とする点対称な形状となっている。また、切り欠き１０２Ａ,１０２Ｂのそれぞれは、下流側から見たときの形状が扇形状となるように形成されている。
【００４１】
図７は図６のVII−VII線矢視の断面図である。また、図８は図６のVIII−VIII線矢視の断面図である。
【００４２】
上記キャップ１００は、図７,図８に示すように、第２ノズル部８０の下流側の端部に取り付けられる円筒形状の取付部１１１を有している。この取付部１１１の内周面には、第２ノズル部８０の第２環状リブ８４が嵌合する環状溝１１２が設けられている。一方、取付部１１１の外周面には、軸方向に延びる位置決め部１１３が設けられている。この位置決め部１１３は、第２ノズル部８０の下流側の端部の突起部８６に周方向から当接させる。
【００４３】
また、上記キャップ１００内には、円柱形状の大径流路ＦＰ１と、この大径流路ＦＰ１よりも径が小さい円柱形状の小径流路ＦＰ２と、この小径流路ＦＰ２の下流端から噴射口１０１に近づくにつれて径が小さくなるテーパ流路ＦＰ３とが設けられている。ノズル本体６０側から水道水は、大径流路ＦＰ１、小径流路ＦＰ２およびテーパ流路ＦＰ３を順に流れて噴射口１０１へ向かう。
【００４４】
上記切り欠き１０２Ａ,１０２Ｂは、キャップ１００の下流側の端面に対して垂直で径方向に平行な平面１２１Ａ,１２１Ｂと、ノズル本体６０側からの水道水を螺旋状に流すように形成された曲面１２２Ａ,１２２Ｂとから成っている。この平面１２１Ａ,１２１Ｂは、それぞれ、図６に示す二点鎖線に対してなす角度が１０°〜２０°の範囲内に入るように形成されている。この第１実施形態では上記角度が１５°になっている。なお、上記二点鎖線は、位置決め部１１３と噴射口１０１の中央とを通る。また、給水ノズル６を水槽開口部３１に取り付けて、水槽開口部３１を正面から見たとき、水槽開口部３１の中心を通って左右方向に延びる線に対して上記二点鎖線が４５°の角度をなす。
【００４５】
上記構成のドラム式洗濯機によれば、洗い工程またはすすぎ工程の給水時、第１給水弁１５が開放される。これにより、給水ノズル６の噴射口１０１から水道水が噴射される。このとき、ノズル本体６０側からの水道水の一部が、図９の矢印で示すように、切り欠き上１０２Ａ,１０２Ｂを流れる。その結果、上記水道水の噴射角を広げることができるので、洗濯物４３に水道水を効率良く当てることができる。
【００４６】
また、上記洗濯物４３に水道水を効率良く当てることができるので、洗浄性能またはすすぎ性能を向上させることができる。
【００４７】
また、上記噴射口１０１の周囲に切り欠き１０２Ａ,１０２Ｂを設けることにより、図１０の二鎖線で示すように、ドラム４の回転軸方向から見たとき、給水ノズル６による水道水の噴射角θ１を比較的広くすることができる。
【００４８】
一方、図１１の二鎖線で示すように、ドラム４を前方の斜め上方から見たとき、給水ノズル６による水道水の噴射領域が必要以上に広がっていない。すなわち、給水ノズル６による水道水の噴射領域のうち、ドラム４外の噴射領域は少ない。
【００４９】
別の図を用いて説明すると、図１２の二点鎖線で示すように、回転軸に垂直な水平軸方向から見たとき、給水ノズル６による水道水の噴射角θ２を比較的狭くすることができる。したがって、給水ノズル６によって噴射された水道水のうち、ドア２に当たる水道水を少なくすることができる。すなわち、洗濯物４３に当たらない無駄な水道水を減らすことができる。
【００５０】
また、上記噴射口１０１を径方向から挟むように、２つの切り欠き１０２Ａ,１０２Ｂを設けることにより、切り欠き１０２Ａ,１０２Ｂの一方だけを設けるときによりも、ドラム４の回転軸方向から見たときの水道水の噴射角θ１を広げることができる。
【００５１】
また、上記切り欠き１０２Ａ,１０２Ｂの曲面１２２Ａ,１２２Ｂにより、ノズル本体６０側からの水道水を螺旋状に流すことができる。したがって、曲面１２２Ａ,１２２Ｂ上で水道水をスムーズに流し、噴射口１０１近傍における乱流の発生を抑制できる。その結果、噴射口１０１から噴射される水道水の圧力が下がるのを防いで、その水道水を洗濯物４３に強く当てることができる。
【００５２】
また、上記切り欠き１０２Ａ,１０２Ｂを下流側から見たときの形状が扇形状であるので、ドラム４の回転軸に垂直な水平軸方向から見たときの水道水の噴射角θ２よりも、ドラム４の回転軸方向から見たときの水道水の噴射角θ１を確実に広げることができる。
【００５３】
また、上記給水ノズル６による水道水の噴射領域を図１０〜図１２のようにするには、切り欠き１０２Ａ,１０２Ｂの位置調整が重要になるが、この位置調整は第２ノズル部８０の下流側の端部の突起部８６にキャップ１００の位置決め部１１３を周方向から当接させるだけで行える。したがって、上記ドラム式洗濯機の製造作業性は良好である。
【００５４】
また、上記給水ノズル６が水道水を噴射するとき、第２ノズル部８０の下流側の端部の突起部８６にキャップ１００の位置決め部１１３を周方向から当接させておけば、水道水の噴射の反力によってキャップ１００が回転するのを防ぐことができる。
【００５５】
図１３は、比較例のキャップ９００の外観を示す斜視図である。また、図１４は、キャップ９００の下流側の端面を示す図(キャップ９００を下流側正面から見た図)である。また、図１５は図１４のXV−XV線矢視の断面図である。また、図１６は図１４のXVI−XVI線矢視の断面図である。なお、図１３〜図１６では、図５〜図８の構成部と同一構成部に、図５〜図８の構成部の参照番号と同一参照番号を付している。
【００５６】
上記キャップ９００は、キャップ１００と同じ材料で形成されているが、形状が異なっている。より詳しくは、キャップ９００は、図１３〜図１６に示すように、切り欠き１０１Ａ,１０１Ｂおよび位置決め部１１３を有していない。すなわち、キャップ９００では噴射口１０１の周囲の面は平坦な環状面となっており、取付部１１１の外周面は平坦な円筒面となっている。
【００５７】
上記構成のキャップ９００を有する給水ノズル９６で洗い工程またはすすぎ工程の給水を行った場合、図１７の二鎖線で示すように、ドラム４の回転軸方向から見たとき、給水ノズル９６による水道水の噴射角θ１１は、給水ノズル６による水道水の噴射角θ１よりも狭くなってしまう。
【００５８】
但し、図１８の二鎖線で示すように、ドラム４を前方の斜め上方から見たとき、給水ノズル９６による水道水の噴射領域は、給水ノズル６のときと同様に必要以上に広がっていない。
【００５９】
別の図を用いて説明すると、図１９の二点鎖線で示すように、ドラム４の回転軸に垂直な水平軸方向から見たとき、給水ノズル９６による水道水の噴射角θ１２は、給水ノズル６による水道水の噴射角θ２と略同じになっている。
【００６０】
図１０〜図１２と図１７〜図１９との比較から明らかなように、比較例の給水ノズル９６では、洗濯物４３に当たらない無駄な水道水を減らすこともできても、洗濯物４３に水道水を効率良く水を当てることができない。
【００６１】
これに対して、上記給水ノズル６であれば、洗濯物４３に水道水を効率良く水を当てることができ、その上、洗濯物４３に当たらない無駄な水道水を減らすこともできる。
【００６２】
上記第１実施形態では、噴射口１０１の周縁部に、２つの切り欠き１０２Ａ,１０２Ｂを設けていたが、切り欠き１０２Ａ,１０２Ｂの一方だけを設けるようにしてもよい。
【００６３】
上記第１実施形態では、噴射口１０１の周縁部に、２つの切り欠き１０２Ａ,１０２Ｂを設けていたが、切り欠き１０２Ａ,１０２Ｂの他に、１つまたは複数の切り欠きを設けてもよい。この場合、上記１つまたは複数の切り欠きは、切り欠き１０２Ａ,１０２Ｂと同じ形状にしてもよいし、あるいは、切り欠き１０２Ａ,１０２Ｂとは異なる形状にしてもよい。
【００６４】
上記第１実施形態では、給水ノズル６が水道水を噴射するとき、ドラム４を回転させてもよい。この場合、例えば、ドラム４は、洗濯物４３がドラム４の内周面に貼り付かないように、一方向に回転させ続けてもよいし、あるいは、正回転と逆回転とを交互に行わせてもよい。これにより、給水ノズル６によって噴射された水道水を、洗濯物４３の全体に短時間で当てることができる。
【００６５】
上記第１実施形態では、給水ノズル６に水道水を供給していたが、給水口１４にホースを介して風呂水ポンプを接続することにより、給水ノズル６に風呂水を供給してもよい。
【００６６】
上記第１実施形態では、給水ノズル６は、洗剤および柔軟剤を含まない水道水を噴射していたが、水道水などが洗剤ケースを経由して給水ノズル６に供給されるようにして、洗剤または柔軟剤を含む水などを噴射するようにしてもよい。
【００６７】
上記第１実施形態において、水槽開口部３１以外の場所(例えば外箱開口部１１)に給水ノズル６を取り付けてもよい。すなわち、給水ノズル６が噴射した水をドラム４内の洗濯物４３に直接かけることができるのであれば、給水ノズル６の取付場所は水槽開口部３１に限定されない。
【００６８】
〔第２実施形態〕
図２０は、この発明の第２実施形態のキャップ２００の外観を示す斜視図である。また、図２１は、キャップ２００の下流側の端面を示す図(キャップ２００を下流側正面から見た図)である。なお、図２０,図２１では、図５〜図８の構成部と同一構成部に、図５〜図８の構成部の参照番号と同一参照番号を付している。また、以下の説明では、上記第１実施形態の構成部と同一構成部に、上記第１実施形態の構成部の参照番号と同一参照番号を付している。
【００６９】
上記キャップ２００は、上記第１実施形態と同様に弾性材からなるが、図２０,図２１に示すように、上記第１実施形態とは異なる形状の切り欠き２０２Ａ,２０２Ｂが噴射口２０１の周縁部に設けられている。この切り欠き２０２Ａ,２０２Ｂは広範囲噴射構造の一例である。
【００７０】
上記噴射口２０１は、下流側から見たときの形状が円形状であり、上記第１実施形態の噴射口１０１とは軸方向の長さが異なるだけである。
【００７１】
上記切り欠き２０２Ａ,２０２Ｂは、ドラム４の回転軸に垂直な水平軸方向から見たときの水道水の噴射角よりも、ドラム４の回転軸方向から見たときの水道水の噴射角が広くなるように、噴射口２０１からの水道水を案内する。この切り欠き２０２Ａ,２０２Ｂは、噴射口２０１を径方向から挟むように設けられている。また、噴射口２０１および切り欠き２０２Ａ,２０２Ｂを下流側から見たとき、噴射口２０１および切り欠き２０２Ａ,２０２Ｂが呈する形状は、噴射口２０１の中央を通って径方向に平行な直線に対して対称な形状となっている。
【００７２】
図２２は図２１のXXII−XXII線矢視の断面図である。また、図２３は図２１のXXIII−XXIII線矢視の断面図である。
【００７３】
上記キャップ２００の下流側の端部には、図２２,図２３に示すように、平面２２１,２２２が所定の間隔をあけて設けられている。この平面２２１,２２２は、キャップ２００の下流側の端面に対して垂直であり、かつ、径方向に平行である。この平面２２１,２２２のそれぞれの一部は切り欠き２０２Ａの一部を構成し、平面２２１,２２２のそれぞれの残りの部分は切り欠き２０２Ｂの一部を構成する。
【００７４】
上記切り欠き２０２Ａ,２０２ＢはＲ面２２３Ａ,２２３Ｂを有する。このＲ面２２３Ａ,２２３Ｂは、ノズル本体６０側からの水道水が径方向外側に流れるように形成されており、下流側から見たときの形状が略矩形状になっている。より詳しくは、Ｒ面２２３Ａ,２２３Ｂは、噴射口２０１の中心軸と所定の距離を有する円弧を上記中心軸まわりに回転させることで得られる曲面の一部である。
【００７５】
上記構成のキャップ２００をキャップ１００の換わりに用いた場合も、上記第１実施形態と同様に、洗い工程またはすすぎ工程の給水時、洗濯物４３に水道水を効率良く水を当てることができ、その上、洗濯物４３に当たらない無駄な水道水を減らすことができる。
【００７６】
また、上記ノズル本体６０側からの水道水が径方向外側に流れるように、Ｒ面２２３Ａ,２２３Ｂが形成されているので、回転槽４の回転軸方向から見たときの水道水の噴射角が広がり易くなっている。
【００７７】
また、上記切り欠き２０２Ａ,２０２Ｂは下流側から見たときの形状が略矩形状となるように形成されている。すなわち、切り欠き２０２Ａ,２０２Ｂを下流側から見た形状は、矩形に類似する形状になっている。したがって、回転槽４の回転軸に垂直な水平軸方向から見たときの水道水の噴射角よりも、回転槽４の回転軸方向から見たときの水道水の噴射角を確実に広げることができる。
【００７８】
上記第２実施形態では、噴射口１０１の周縁部に、２つの切り欠き２０２Ａ,２０２Ｂを設けていたが、切り欠き２０２Ａ,２０２Ｂの一方だけを設けるようにしてもよい。
【００７９】
上記第２実施形態では、噴射口１０１の周縁部に、２つの切り欠き２０２Ａ,２０２Ｂを設けていたが、切り欠き２０２Ａ,２０２Ｂの他に、１つまたは複数の切り欠きを設けてもよい。この場合、上記１つまたは複数の切り欠きは、切り欠き２０２Ａ,２０２Ｂと同じ形状にしてもよいし、あるいは、切り欠き２０２Ａ,２０２Ｂとは異なる形状にしてもよい。
【００８０】
上記第２実施形態では、取付部１１１の外周面に位置決め部１１３を設けていなかったが、上記第１実施形態と同様に、取付部１１１の外周面に位置決め部１１３を設けて、第２ノズル部８０の下流側の端部の突起部８６に周方向から当接させてもよい。
【００８１】
〔第３実施形態〕
図２４は、この発明の第３実施形態のキャップ３００の外観を示す斜視図である。また、図２５は、キャップ３００の下流側の端面を示す図(キャップ３００を下流側正面から見た図)である。なお、以下の説明では、上記第１実施形態の構成部と同一構成部に、上記第１実施形態の構成部の参照番号と同一参照番号を付している。
【００８２】
上記キャップ３００のノズル本体６０側とは反対側の端部(下流側の端部)には、図２４,図２５に示すように、ノズル本体６０側からの水を噴射する噴射口３０１と、この噴射口３０１から噴射される水道水の噴射角を広げるためのＲ面３０２とが設けられている。なお、Ｒ面３０２は広範囲噴射構造の一例である。
【００８３】
上記噴射口３０１は、下流側から見たときの形状が円形状となるように形成されている。ノズル本体６０側から噴射口３０１に供給される水道水の一部は、Ｒ面３０２上を流れて、ドラム４内に噴射される。また、ノズル本体６０側から噴射口３０１に供給される水道水の残りは、Ｒ面３０２上を流れずに、ドラム４内に噴射される。
【００８４】
上記Ｒ面３０２は、噴射口３０１の周縁部の全周にわたって設けられている。このＲ面３０２は、噴射口３０１の中心軸と所定の距離を有する円弧を上記中心軸まわりに回転させることで得られる曲面である。
【００８５】
図２６は図２５のXXVI−XXVI線矢視の断面図である。また、図２７は図２５のXXVII−XXVII線矢視の断面図である。
【００８６】
上記キャップ３００は、図２６,図２７に示すように、第２ノズル部８０の下流側の端部に取り付けられる円筒形状の取付部３１１を有している。この取付部３１１の内周面には、第２ノズル部８０の第２環状リブ８４が嵌合する環状溝１１２が設けられている。
【００８７】
また、上記キャップ３００内には、円柱形状の大径流路ＦＰ３１と、この大径流路ＦＰ３１よりも径が小さい円柱形状の中径流路ＦＰ３２と、この中径流路ＦＰ３２よりも径が小さい円柱形状の小径流路ＦＰ３３と、この小径流路ＦＰ３３の下流側の端から噴射口３０１に近づくにつれて径が小さくなるテーパ流路ＦＰ３４とが設けられている。ノズル本体６０側から水道水は、大径流路ＦＰ３１、中径流路ＦＰ３２、小径流路ＦＰ３３およびテーパ流路ＦＰ３４を順に流れて噴射口３０１へ向かう。
【００８８】
上記構成のキャップ３００を有する給水ノズル３６で洗い工程またはすすぎ工程の給水を行った場合、ノズル本体６０側からの水道水の一部がＲ面３０２上を流れる。したがって、上記水道水の噴射角を広げることができるので、洗濯物４３に水道水を効率良く当てることができる。
【００８９】
また、上記噴射口３０１の周縁部にＲ面３０２を設けることにより、図２８〜図３０の二鎖線で示すように、ドラム４の回転軸方向から見たときも、ドラム４を前方の斜め上方から見たときも、また、ドラム４の回転軸に垂直な水平軸方向から見たときも、給水ノズル６による水道水の噴射角θ３１,θ３２が、上記第１実施形態のときよりも広がる。
【００９０】
また、上記噴射口３０１の周縁部の全周にわたってＲ面３０２を設けることにより、噴射口３０１は、回転槽４の内周面の半分を超える部分に水がかかるように、水道水を噴射することができる。
【００９１】
〔第４実施形態〕
上記第１〜第３実施形態では、洗濯物４３を乾燥させるための機能(以下、「乾燥機能」と言う)を有さないドラム式洗濯機に、給水ノズル６,３６などを搭載していたが、この発明の第４実施形態では、乾燥機能を有するドラム式洗濯機に、給水ノズル６,３６などを搭載している。
【００９２】
なお、上記乾燥機能は、例えば、洗濯物４３に当てる温風をシーズヒータで生成するものであってもよいし、その温風をヒートポンプで生成するものであってもよい。
【００９３】
〔第５実施形態〕
上記第１〜第３実施形態では、ドラム式洗濯機に給水ノズル６,３６などを搭載していたが、この発明の第５実施形態では、全自動洗濯機などのいわゆる縦型洗濯機に給水ノズル６,３６などを搭載している。
【００９４】
すなわち、この発明および実施形態を纏めると、次のようになる。
【００９５】
この発明の洗濯機は、
外箱１と、
上記外箱１内に配置された水槽３と、
上記水槽３内に回転可能に配置され、洗濯物４３を収容する回転槽４と、
上記回転槽４内に水を供給するための給水ノズル６,３６と
を備え、
上記給水ノズル６,３６は、
水が内部を流れるノズル本体６０と、
上記ノズル本体６０内に配置されて上記水が経由し、旋回流を発生させる旋回子９０と、
上記ノズル本体６０の下流側の端部に取り付けられたキャップ１００,２００,３００と
を有し、
上記キャップ１００,２００,３００の上記ノズル本体６０側とは反対側の端部には、上記ノズル本体６０側からの水を噴射する噴射口１０１,２０１,３０１と、この噴射口１０１,２０１,３０１から噴射される水の噴射角を広げるための広範囲噴射構造１０２Ａ,１０２Ｂ,２０２Ａ,２０２Ｂ,３０２とが設けられていることを特徴としている。
【００９６】
上記構成によれば、上記水が噴射口１０１,２０１,３０１から噴射されるとき、キャップ１００,２００,３００の噴射口１０１,２０１,３０１側の端部には広範囲噴射構造１０２Ａ,１０２Ｂ,２０２Ａ,２０２Ｂ,３０２があるので、水の噴射角を広げることができる。したがって、洗濯物４３に水を効率良く水を当てることができる。
【００９７】
なお、上記噴射口１０１,２０１,３０１から噴射される水は、洗剤または柔軟剤などを含まない水であってもよいし、洗剤または柔軟剤などを含む水であってもよい。
【００９８】
一実施形態の洗濯機では、
上記外箱１に取り付けられたドア２を備え、
上記外箱１は、上記ドア２で開閉される外箱開口部１１を有し、
上記水槽３は、上記外箱開口部１１に対向する水槽開口部３１を有し、
上記回転槽４は、上記水槽開口部３１に対向する回転槽開口部４１を有し、
上記給水ノズル６,３６は、上記回転槽開口部４１を介して上記回転槽４内に向けて水を噴射し、
上記広範囲噴射構造１０２Ａ,１０２Ｂ,２０２Ａ,２０２Ｂ,３０２は、上記回転槽４の回転軸に垂直な水平軸方向から見たときの水の噴射角よりも、上記回転槽４の回転軸方向から見たときの水の噴射角が広くなるように、上記噴射口１０１,２０１からの水を案内する切り欠き１０２Ａ,１０２Ｂ,２０２Ａ,２０２Ｂである。
【００９９】
上記実施形態によれば、上記切り欠き１０２Ａ,１０２Ｂ,２０２Ａ,２０２Ｂが噴射口１０１,２０１からの水を案内することにより、回転槽４の回転軸に垂直な水平軸方向から見たときの水の噴射角よりも、回転槽４の回転軸方向から見たときの水の噴射角を広げることができる。したがって、上記ドア２に当たる水を減らすことができる。
【０１００】
一実施形態の洗濯機では、
上記切り欠き１０２Ａ,１０２Ｂ,２０２Ａ,２０２Ｂは上記噴射口１０１,２０１を径方向から挟むように２つ設けられている。
【０１０１】
上記実施形態によれば、上記噴射口１０１,２０１を径方向から挟むように、２つの切り欠き１０２Ａ,１０２Ｂ,２０２Ａ,２０２Ｂを設けることにより、切り欠き１０２Ａ,１０２Ｂ,２０２Ａ,２０２Ｂが１つのときに比べて、回転槽４の回転軸方向から見たときの水の噴射角を広げることができる。
【０１０２】
一実施形態の洗濯機では、
上記切り欠き１０２Ａ,１０２Ｂは、上記ノズル本体６０側からの水を螺旋状に流すように形成された曲面１２２Ａ,１２２Ｂを有する。
【０１０３】
上記実施形態によれば、上記曲面１２２Ａ,１２２Ｂはノズル本体６０側からの水が螺旋状に流れるように形成されている。これにより、上記曲面１２２Ａ,１２２Ｂ上で水をスムーズに流すことができるので、噴射口１０１近傍における乱流の発生を抑制できる。その結果、上記噴射口１０１から噴射される水の圧力の低下を防いで、その水を洗濯物４３に強く当てることができる。
【０１０４】
一実施形態の洗濯機では、
上記切り欠き１０２Ａ,１０２Ｂを下流側から見たときの形状が扇形状である。
【０１０５】
上記実施形態によれば、上記切り欠き１０２Ａ,１０２Ｂを下流側から見たときの形状が扇形状であるので、回転槽４の回転軸に垂直な水平軸方向から見たときの水の噴射角よりも、回転槽４の回転軸方向から見たときの水の噴射角を確実に広げることができる。
【０１０６】
一実施形態の洗濯機では、
上記切り欠き２０２Ａ,２０２Ｂは、上記ノズル本体６０側からの水を径方向外側へ流すように形成されたＲ面２２３Ａ,２２３Ｂを有する。
【０１０７】
上記実施形態によれば、上記ノズル本体６０側からの水が径方向外側に流れるように、Ｒ面２２３Ａ,２２３Ｂを形成することにより、回転槽４の回転軸方向から見たときの水の噴射角が広がり易くなる。
【０１０８】
一実施形態の洗濯機では、
上記切り欠き２０２Ａ,２０２Ｂを下流側から見たときの形状が略矩形状である。
【０１０９】
ここで、上記略矩形状とは略正方形状または略長方形状を意味する。
【０１１０】
上記実施形態によれば、上記切り欠き２０２Ａ,２０２Ｂを下流側から見たときの形状が略矩形状であるので、回転槽４の回転軸に垂直な水平軸方向から見たときの水の噴射角よりも、回転槽４の回転軸方向から見たときの水の噴射角を確実に広げることができる。
【０１１１】
一実施形態の洗濯機では、
上記広範囲噴射構造３０２は、上記噴射口３０１の周縁部の全周にわたって設けられたＲ面３０２である。
【０１１２】
上記実施形態によれば、上記噴射口３０１の周縁部の全周にわたってＲ面３０２を設けることにより、噴射口３０１は、回転槽４の内周面の半分を超える部分に水がかかるように、水を噴射することができる。
【０１１３】
この発明の具体的な実施形態について説明したが、この発明は上記実施形態に限定されるものではなく、この発明の範囲内で種々変更して実施することができる。例えば、上記第１〜第５実施形態に記載した内容を適宜組み合わせたものを、この発明の一実施形態としてもよい。
【符号の説明】
【０１１４】
１  外箱
２  ドア
３  水槽
４  回転槽
５  モータ
６,３６  給水ノズル
１１  外箱開口部
３１  水槽開口部
４１  回転槽開口部
６０  ノズル本体
７０  第１ノズル部
８０  第２ノズル部
９０  旋回子
１００,２００,３００,９００  キャップ
１０１,２０１,３０１,９０１  噴射口
１０２Ａ,１０２Ｂ,２０２Ａ,２０２Ｂ  切り欠き
１２１Ａ,１２１Ｂ,２２１,２２２  平面
１２２Ａ,１２２Ｂ  曲面
２２３Ａ,２２３Ｂ,３０２  Ｒ面
【図１】
2017018249.tif 000003
【図２】
2017018249.tif 000004
【図３】
2017018249.tif 000005
【図４】
2017018249.tif 000006
【図５】
2017018249.tif 000007
【図６】
2017018249.tif 000008
【図７】
2017018249.tif 000009
【図８】
2017018249.tif 000010
【図９】
2017018249.tif 000011
【図１０】
2017018249.tif 000012
【図１１】
2017018249.tif 000013
【図１２】
2017018249.tif 000014
【図１３】
2017018249.tif 000015
【図１４】
2017018249.tif 000016
【図１５】
2017018249.tif 000017
【図１６】
2017018249.tif 000018
【図１７】
2017018249.tif 000019
【図１８】
2017018249.tif 000020
【図１９】
2017018249.tif 000021
【図２０】
2017018249.tif 000022
【図２１】
2017018249.tif 000023
【図２２】
2017018249.tif 000024
【図２３】
2017018249.tif 000025
【図２４】
2017018249.tif 000026
【図２５】
2017018249.tif 000027
【図２６】
2017018249.tif 000028
【図２７】
2017018249.tif 000029
【図２８】
2017018249.tif 000030
【図２９】
2017018249.tif 000031
【図３０】
2017018249.tif 000032